【手続補正書】
【提出日】平成18年3月3日(2006.3.3)
【手続補正１】
【補正対象書類名】明細書
【補正対象項目名】発明の名称
【補正方法】変更
【補正の内容】
【発明の名称】情報処理システムおよび方法、情報処理装置および方法、並びにプログラム
【手続補正２】
【補正対象書類名】明細書
【補正対象項目名】特許請求の範囲
【補正方法】変更
【補正の内容】
【特許請求の範囲】
【請求項１】コンテンツに関するダイジェストブックマークを生成する第１の情報処理装置、および、前記第１の情報処理装置から前記ダイジェストブックマークを受信する第２の情報処理装置からなる情報処理システムにおいて、
前記第１の情報処理装置は、
前記コンテンツに基づいて、前記コンテンツのダイジェストに対応する前記ダイジェストブックマークを生成し、
前記ダイジェストブックマークを、前記第２の情報処理装置に送信し、
前記第２の情報処理装置は、
前記第１の情報処理装置から前記ダイジェストブックマークを受信し、
前記ダイジェストブックマークに対応する、あらかじめ記録されている前記コンテンツを読み出し、
前記ダイジェストブックマークと前記コンテンツに基づいて、ダイジェストコンテンツを再生する
ことを特徴とする情報処理システム。
【請求項２】前記ダイジェストブックマークには、前記コンテンツのチャンネル、シーン開始時刻、およびシーン終了時刻が含まれる
ことを特徴とする請求項１に記載の情報処理システム。
【請求項３】前記第１の情報処理装置は、前記コンテンツが新たに記録されたとき、または、ユーザの指令に基づいて、前記ダイジェストブックマークを生成する
ことを特徴とする請求項１に記載の情報処理システム。
【請求項４】前記第１の情報処理装置は、
前記ダイジェストブックマークに、ユーセージルールをさらに書き込み、
前記ユーセージルールが書き込まれた前記ダイジェストブックマークを、前記第２の情報処理装置に送信する
ことを特徴とする請求項１に記載の情報処理システム。
【請求項５】前記第１の情報処理装置と前記第２の情報処理装置の間に、第３の情報処理装置をさらに備え、
前記第１の情報処理装置は、前記ダイジェストブックマークを前記第３の情報処理装置に送信し、
前記第３の情報処理装置は、
前記第１の情報処理装置から前記ダイジェストブックマークを受信し、
受信した前記ダイジェストブックマークを記録し、
前記第２の情報処理装置は、前記第３の情報処理装置から前記ダイジェストブックマークを受信する
ことを特徴とする請求項１に記載の情報処理システム。
【請求項６】コンテンツに関するダイジェストブックマークを生成する第１の情報処理装置、および、前記第１の情報処理装置から前記ダイジェストブックマークを受信する第２の情報処理装置からなる情報処理システムの情報処理方法において、
前記第１の情報処理装置は、
前記コンテンツに基づいて、前記コンテンツのダイジェストに対応する前記ダイジェストブックマークを生成し、
前記ダイジェストブックマークを、ネットワークを介して前記第２の情報処理装置に送信し、
前記第２の情報処理装置は、
前記ネットワークを介して、前記第１の情報処理装置から前記ダイジェストブックマークを受信し、
前記ダイジェストブックマークに対応する、あらかじめ記録されている前記コンテンツを読み出し、
前記ダイジェストブックマークと前記コンテンツに基づいて、ダイジェストコンテンツを再生する
ことを特徴とする情報処理方法。
【請求項７】コンテンツに関するダイジェストブックマークを生成する情報処理装置において、
前記コンテンツに基づいて、前記コンテンツのダイジェストに対応する前記ダイジェストブックマークを生成する生成手段と、
前記生成手段により生成された前記ダイジェストブックマークを、ネットワークを介して、他の情報処理装置に送信する送信手段と
を備えることを特徴とする情報処理装置。
【請求項８】前記生成手段により生成される前記ダイジェストブックマークには、前記コンテンツのチャンネル、シーン開始時刻、およびシーン終了時刻が含まれる
ことを特徴とする請求項７に記載の情報処理装置。
【請求項９】前記生成手段は、前記コンテンツが新たに記録されたとき、または、ユーザの指令に基づいて、前記ダイジェストブックマークを生成する
ことを特徴とする請求項７に記載の情報処理装置。
【請求項１０】前記生成手段により生成された前記ダイジェストブックマークにユーセージルールを書き込む書き込み手段をさらに備え、
前記送信手段は、前記書き込み手段により前記ユーセージルールが書き込まれた前記ダイジェストブックマークを前記他の情報処理装置に送信する
ことを特徴とする請求項７に記載の情報処理装置。
【請求項１１】コンテンツに関するダイジェストブックマークを生成する情報処理装置の情報処理処理方法において、
前記コンテンツに基づいて、前記コンテンツのダイジェストに対応する前記ダイジェストブックマークを生成する生成ステップと、
前記生成ステップの処理により生成された前記ダイジェストブックマークを、ネットワークを介して、他の情報処理装置に送信する送信ステップと
を含むことを特徴とする情報処理方法。
【請求項１２】コンテンツに関するダイジェストブックマークを生成するプログラムであって、
前記コンテンツに基づいて、前記コンテンツのダイジェストに対応する前記ダイジェストブックマークを生成する生成ステップと、
前記生成ステップの処理により生成された前記ダイジェストブックマークを、ネットワークを介して、他の情報処理装置に送信する送信ステップと
を含む処理をコンピュータに実行させることを特徴とするプログラム。
【請求項１３】他の情報処理装置からダイジェストブックマークを受信する情報処理装置において、
前記他の情報処理装置からコンテンツのダイジェストに関する前記ダイジェストブックマークを受信する受信手段と、
前記受信手段により受信された前記ダイジェストブックマークに対応する、あらかじめ記録されている前記コンテンツを取得し、前記ダイジェストブックマークと取得した前記コンテンツに基づいて、ダイジェストコンテンツを生成する生成手段と、
前記生成手段により生成された前記ダイジェストコンテンツを出力する出力手段と
を備えることを特徴とする情報処理装置。
【請求項１４】前記ダイジェストブックマークには、前記コンテンツのチャンネル、シーン開始時刻、およびシーン終了時刻が含まれる
ことを特徴とする請求項１３に記載の情報処理装置。
【請求項１５】前記コンテンツを記録する記録手段をさらに備え、
前記生成手段は、前記受信手段により受信された前記ダイジェストブックマークに対応する前記コンテンツが、前記記録手段に記録されているか否かを判定し、前記ダイジェストブックマークに対応する前記コンテンツが前記記録手段に記録されていたとき、前記ダイジェストコンテンツを生成する
ことを特徴とする請求項１３に記載の情報処理装置。
【請求項１６】前記ダイジェストブックマークに含まれるユーセージルールに基づいて、前記ダイジェストコンテンツの生成を制御する制御手段を
さらに備えることを特徴とする請求項１３に記載の情報処理装置。
【請求項１７】他の情報処理装置からダイジェストブックマークを受信する情報処理装置の情報処理方法において、
前記他の情報処理装置からコンテンツのダイジェストに関する前記ダイジェストブックマークを受信する受信ステップと、
前記受信ステップの処理により受信された前記ダイジェストブックマークに対応する、あらかじめ記録されている前記コンテンツを取得する取得ステップと、  前記取得ステップの処理により取得された前記コンテンツと、前記受信ステップの処理により受信された前記ダイジェストブックマークに基づいて、ダイジェストコンテンツを生成する生成ステップと、
前記生成ステップの処理により生成された前記ダイジェストコンテンツを出力する出力ステップと
を含むことを特徴とする情報処理方法。
【請求項１８】他の情報処理装置からダイジェストブックマークを受信するプログラムであって、
前記他の情報処理装置からコンテンツのダイジェストに関する前記ダイジェストブックマークを受信する受信ステップと、
前記受信ステップの処理により受信された前記ダイジェストブックマークに対応する、あらかじめ記録されている前記コンテンツを取得する取得ステップと、  前記取得ステップの処理により取得された前記コンテンツと、前記受信ステップの処理により受信された前記ダイジェストブックマークに基づいて、ダイジェストコンテンツを生成する生成ステップと、
前記生成ステップの処理により生成された前記ダイジェストコンテンツを出力する出力ステップと
を含む処理をコンピュータに実行させることを特徴とするプログラム。
【請求項１９】情報を処理する情報処理装置において、
第１の他の情報処理装置から、コンテンツに関するダイジェストブックマークを受信する受信手段と、
前記受信手段により受信された前記ダイジェストブックマークを記録する記録手段と、
前記記録手段により記録された前記ダイジェストブックマークを、第２の他の情報処理装置に送信する送信手段と
を備えることを特徴とする情報処理装置。
【請求項２０】情報を処理する情報処理装置の情報処理方法において、
第１の他の情報処理装置から、コンテンツに関するダイジェストブックマークを受信する受信ステップと、
前記受信ステップの処理により受信された前記ダイジェストブックマークを記録する記録ステップと、
前記記録ステップの処理により記録された前記ダイジェストブックマークを、第２の他の情報処理装置に送信する送信ステップと
を含むことを特徴とする情報処理方法。
【請求項２１】情報を処理する情報処理装置のプログラムであって、
第１の他の情報処理装置から、コンテンツに関するダイジェストブックマークを受信する受信ステップと、
前記受信ステップの処理により受信された前記ダイジェストブックマークを記録する記録ステップと、
前記記録ステップの処理により記録された前記ダイジェストブックマークを、第２の他の情報処理装置に送信する送信ステップと
を含む処理をコンピュータに実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、情報処理システムおよび方法、情報処理装置および方法、並びにプログラムに関し、特に、コンテンツのダイジェストを容易に視聴できるようにした情報処理システムおよび方法、情報処理装置および方法、並びにプログラムに関する。
【手続補正４】
【補正対象書類名】明細書
【補正対象項目名】００２１
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００３２
【補正方法】削除
【補正の内容】
【手続補正７】
【補正対象書類名】明細書
【補正対象項目名】００３５
【補正方法】変更
【補正の内容】
【００３５】
本発明の第１の情報処理装置および第２の情報処理方法、並びに第１のプログラムにおいては、コンテンツに基づいて、コンテンツのダイジェストに対応するダイジェストブックマークが生成され、生成されたダイジェストブックマークが、ネットワークを介して、他の情報処理装置に送信される。
【手続補正８】
【補正対象書類名】明細書
【補正対象項目名】００３６
【補正方法】変更
【補正の内容】
【００３６】
本発明の第２の情報処理装置および第３の情報処理方法、並びに第２のプログラムにおいては、コンテンツのダイジェストに関するダイジェストブックマークが受信され、受信されたダイジェストブックマークに対応する、あらかじめ記録されているコンテンツが取得され、これらに基づいて、ダイジェストコンテンツが生成され、出力される。
【手続補正９】
【補正対象書類名】明細書
【補正対象項目名】００３７
【補正方法】変更
【補正の内容】
【００３７】
本発明の第３の情報処理装置および第４の情報処理方法、並びに第３のプログラムにおいては、第１の他の情報処理装置から、コンテンツに関するダイジェストブックマークが受信され、記録され、記録されたダイジェストブックマークが、第２の他の情報処理装置に送信される。